(57)【要約】      （修正有）【課題】同軸ケーブルを任意の長さに自在に調整可能にする。【解決手段】ケース１０と，当該ケース１０の内部に収納され回転自在に枢着される軸体３０と，同軸ケーブル部２１の一方端に接続端子を備え他方側を自由端とした所定長さの同軸ケーブルと，から成り，該軸体３０の一方端には，この軸体３０の軸線と同一軸線上に配置され，前記収納空間内部とアンテナ共同受信機器の外部との信号の接続を行う事が可能な本体側の接続端子が組み付けられており，前記軸体を回転操作させることによって，前記同軸ケーブル部２１をケース１０内に収納すると共に，前記軸体の周面に前記同軸ケーブル部２１を巻取り及び引き出しを可能にすることによって，前記同軸ケーブルの前記ケース１０の外部に位置する部分の寸法を，任意の長さに設定自在とした。【選択図】  図６
2006032024.tif 000002
【特許請求の範囲】
【請求項１】
アンテナ共同受信機器において，
一端を開放して箱状に形成したケース本体と，当該ケース本体の開口部を封鎖可能に形成したケース蓋体と，を備えたケースと，
前記ケース本体の開口部を前記ケース蓋体で封鎖することによって，前記ケース本体の開口部に対向する位置にあるケース本体の閉鎖面と，前記ケース本体の開口部を封鎖するケース蓋体であって前記ケース本体の閉鎖面と対向する位置にあるケース蓋体の閉鎖面とでもって回転自在に枢着される軸体と，
同軸ケーブル部の一方端に接続端子を備え他方側を自由端とした所定長さの同軸ケーブルと，から成り，
前記軸体は，内部に物品の収納を可能とする収納空間が形成されており，
該軸体の周面には，該周面と前記収納空間内部とを接続する導入手段が形成されており，
該軸体の一方端には，この軸体の軸線と同一軸線上に配置され，前記収納空間内部とアンテナ共同受信機器の外部との信号の接続を行う事が可能な本体側の接続端子が組み付けられており，
前記同軸ケーブルの自由端は，前記軸体の周面に形成された導入手段から軸体内部の収納空間に引き込まれ，前記収納空間内で前記本体側の接続端子と接続されており，
前記同軸ケーブルの同軸ケーブル部は前記ケースに形成した遊挿部において挿通自在と成るように組み付けられており，
前記軸体を回転操作させることによって，前記同軸ケーブル部をケース内に収納すると共に，前記軸体の周面に前記同軸ケーブル部を巻取り及び引き出しを可能にすることによって，前記同軸ケーブルの前記ケースの外部に位置する部分の寸法を，任意の長さに設定自在としたことを特徴としたテレビ共同受信機器。
【請求項２】
前記本体側の接続端子は，前記軸体の軸線の周方向に対しては僅かな力で回動自在であり，軸線方向には固着されたロータリージョイントで構成されたことを特徴とした請求項１に記載のテレビ共同受信機器。
【請求項３】
前記可動用の同軸ケーブルにおける一方側に具備した接続端子はＦ型プラグであり，前記本体側の接続端子はＦ型接栓座であることを特徴とした請求項１又は請求項２に記載のアンテナ共同受信機器。
【請求項４】
アンテナ共同受信機器において，
一端を開放して箱状に形成したケース本体と，当該ケース本体の開口部を封鎖可能に形成したケース蓋体と，を備えたケースと，
前記ケース本体の開口部を前記ケース蓋体で封鎖することによって，前記ケース本体の開口部に対向する位置にあるケース本体の閉鎖面と，前記ケース本体の開口部を封鎖するケース蓋体であって前記ケース本体の閉鎖面と対向する位置にあるケース蓋体の閉鎖面とでもって回転自在に枢着される軸体と，
同軸ケーブル部の一方端に接続端子を備え他方側を自由端とした所定長さの可動用の同軸ケーブルと，同軸ケーブル部の少なくとも一方側の端部に接続端子を備えた固定用の同軸ケーブルと，から成り，
前記軸体は，内部に物品の収納を可能とする収納空間が形成されており，
該軸体の周面には，該周面と前記収納空間内部とを接続する導入手段が形成されており，
該軸体の一方端には，この軸体の軸線と同一軸線上に配置され，前記収納空間とアンテナ共同受信機器の外部との信号の接続を行う事が可能な本体側の接続端子が組み付けられており，
該本体側の接続端子は，前記軸体の軸線の周方向に対しては僅かな力で回動自在であり，軸線方向には固着されたロータリージョイントで構成されており，
前記可動用の同軸ケーブルの自由端は，前記軸体の周面に形成された導入手段から軸体内部の収納空間に引き込まれ，前記収納空間内で前記本体側の接続端子と接続されており，
前記可動用の同軸ケーブルの同軸ケーブル部は，前記ケースに形成した遊挿部において挿通自在と成るように組み付けられており，
前記固定用の同軸ケーブルにおける他方の端部は，前記本体側の接続端子に接続されてから，ケース外に引き出されており，
前記軸体の回転操作によって，前記同軸ケーブルをケース内に収納すると共に，前記軸体の周面に前記同軸ケーブル部を巻取り及び引き出しを可能にすることによって，前記同軸ケーブルの前記ケースの外部に位置する寸法を，任意の長さに設定可能としたことを特徴としたテレビ共同受信機器。
【請求項５】
少なくとも前記可動用の同軸ケーブルにおける一方側に具備した接続端子と前記固定用の同軸ケーブルの一方側に具備した接続端子はＦ型プラグであることを特徴とした請求項４に記載のアンテナ共同受信機器。
【請求項６】
前記軸体には，前記カバー内に収納されると共に，前記軸体の軸線上に配設された発条を具備し，当該発条の伸縮によって前記軸体を回転させる自働巻取り式であるように構成したことを特徴とした請求項１乃至請求項５に何れかに記載のテレビ共同受信機器。
【発明の詳細な説明】
【技術分野】
【０００１】
本発明は，主にテレビ共同受信に利用されるテレビ共同受信機器に関し，詳しくはそのテレビ共同受信機器の取扱性を向上するための構造に関する。
【背景技術】
【０００２】
従来のテレビ共同受信システムでは，テレビアンテナやＣＡＴＶ伝送路から宅内に引き込まれた信号は，同軸ケーブルや分配器等を介して所要数に分配され，当該分配された信号は更に同軸ケーブル等を介してテレビ端子まで伝送される。テレビ端子には宅内用の同軸ケーブルを接続することによって，この同軸ケーブルの先には，例えばテレビ受像機が接続されたり，更に分配器等を介してテレビ受像機やビデオに接続されたりするような構成となっていた。
（例えば，特許文献１の図  に示す分配器，及び，特許文献２の図  に示すシステム参照。）
このような受信システムにおいて使用されるテレビ端子からテレビ受像機用までの宅内用の同軸ケーブルは，このシステムを施工した業者がテレビ等の配置に基づいて，所定長さに加工して配設する場合や，ユーザー自らが材料をそろえて加工する場合もあるが，一般的にはテレビ受像機等の配置に合わせて，家人がＤＩＹショップや家電量販店等において，接続コネクタの加工済みのケーブルを購入してくる場合が多い。
（例えば，特許文献３参照）
【０００３】
【特許文献１】特許  第２８１９０３２号公報
【特許文献２】特開平９−２７５５１３号公報
【特許文献３】特開昭６３−３１０５８２号公報
【発明の開示】
【発明が解決しようとする課題】
【０００４】
しかし，従来のようにテレビ端子からテレビ受像機へ接続する同軸ケーブルや，分配器とビデオ等を接続する同軸ケーブルを，それらの設置場所に応じて同軸ケーブルを切断して，その両端にＦ型プラグを取り付けるような場合は，その加工の手間がかかるばかりでなく，加工することに慣れていない一般ユーザーにとっては，非常に難しいものとなるばかりでなく，この場合の信頼性においても補償されるものではない。更に近年においてディジタル放送の受信をすることが多くなり，同軸ケーブルの選択やプラグの組み付けにおいてミスがあれば，そこから妨害信号が入り込むことによって，受信画像に影響を与える場合が発生して，美しい画像が見られないといった問題があった。
【０００５】
また，同軸ケーブルが所定の長さに切られており，当該同軸ケーブルの両端にはプラグが加工済みの製品が家電店等において売られているのであるが，これを使用する場合は，宅内に配線するのに最適な寸法の同軸ケーブルが無い場合は，長めの物を購入することによって，テレビ等の背面に長いまま設置したり，余分な長さ分だけを適当に束ねるなどしたりして設置していた。この場合は，テレビ等の背面は他のケーブル類と合わせて整理し難いものとなるといった問題があった。更に近年において急速に普及している液晶テレビのように，液晶テレビの設置場所を移動させて見るなどの新しい使い方がなされるようになってきたが，当該テレビの配置場所に合わせて同軸ケーブルをすっきりと配線するためには，テレビの設置位置が制限されるといった問題があった。
また，同軸ケーブが長くなればなるほどそれを入れるための梱包材を大きくしたり，梱包材が変形しないように強化したりする必要が生じることで製品コストが高くなるといった問題もあった。
【０００６】
そこで本願においては，こうした問題点を解決するためになされたものであり，
その目的は，常に配設する寸法に最適な長さに調整可能で，テレビ受像機当の背面であってもすっきりと配線可能なテレビ共同受信機器を提供することにある。
他の目的は，小型で持ち運びが容易なテレビ共同受信機器を提供することにある。
他の目的は，ディジタル放送受信に対して良好な特性を有すると共に，広帯域な伝送特性を有するテレビ共同受信機器を提供することにある。
他の目的は，捩れることなく長さの設定可能なテレビ共同受信機器を提供することにある。
他の目的は，接続対象物に介在させて，該対象物を電気的に接続するテレビ共同受信用の巻取り式同軸ケーブルを提供することにある。
【課題を解決するための手段】
【０００７】
請求項１の発明は，アンテナ共同受信機器において，一端を開放して箱状に形成したケース本体と，当該ケース本体の開口部を封鎖可能に形成したケース蓋体と，を備えたケースと，前記ケース本体の開口部を前記ケース蓋体で封鎖することによって，前記ケース本体の開口部に対向する位置にあるケース本体の閉鎖面と，前記ケース本体の開口部を封鎖するケース蓋体であって前記ケース本体の閉鎖面と対向する位置にあるケース蓋体の閉鎖面とでもって回転自在に枢着される軸体と，同軸ケーブル部の一方端に接続端子を備え他方側を自由端とした所定長さの同軸ケーブルと，から成り，
前記軸体は，内部に物品の収納を可能とする収納空間が形成されており，該軸体の周面には，該周面と前記収納空間内部とを接続する導入手段が形成されており，該軸体の一方端には，この軸体の軸線と同一軸線上に配置され，前記収納空間内部とアンテナ共同受信機器の外部との信号の接続を行う事が可能な本体側の接続端子が組み付けられており，前記同軸ケーブルの自由端は，前記軸体の周面に形成された導入手段から軸体内部の収納空間に引き込まれ，前記収納空間内で前記本体側の接続端子と接続されており，前記同軸ケーブルの同軸ケーブル部は前記ケースに形成した遊挿部において挿通自在と成るように組み付けられており，前記軸体を回転操作させることによって，前記同軸ケーブル部をケース内に収納すると共に，前記軸体の周面に前記同軸ケーブル部を巻取り及び引き出しを可能にすることによって，前記同軸ケーブルの前記ケースの外部に位置する部分の寸法を，任意の長さに設定自在にできるように構成される。
【０００８】
請求項２の発明は，前記本体側の接続端子は，前記軸体の軸線の周方向に対しては僅かな力で回動自在であり，軸線方向には固着されたロータリージョイントで構成される。
【０００９】
請求項３の発明は，請求項１又は請求項２に記載のアンテナ共同受信機器において，前記可動用の同軸ケーブルにおける一方側に具備した接続端子はＦ型プラグであるように構成される。
【００１０】
請求項４の発明は，アンテナ共同受信機器において，一端を開放して箱状に形成したケース本体と，当該ケース本体の開口部を封鎖可能に形成したケース蓋体と，を備えたケースと，前記ケース本体の開口部を前記ケース蓋体で封鎖することによって，前記ケース本体の開口部に対向する位置にあるケース本体の閉鎖面と，前記ケース本体の開口部を封鎖するケース蓋体であって前記ケース本体の閉鎖面と対向する位置にあるケース蓋体の閉鎖面とでもって回転自在に枢着される軸体と，同軸ケーブル部の一方端に接続端子を備え他方側を自由端とした所定長さの可動用の同軸ケーブルと，同軸ケーブル部の少なくとも一方側の端部に接続端子を備えた固定用の同軸ケーブルと，から成り，
前記軸体は，内部に物品の収納を可能とする収納空間が形成されており，該軸体の周面には，該周面と前記収納空間内部とを接続する導入手段が形成されており，該軸体の一方端には，この軸体の軸線と同一軸線上に配置され，前記収納空間とアンテナ共同受信機器の外部との信号の接続を行う事が可能な本体側の接続端子が組み付けられており，該本体側の接続端子は，前記軸体の軸線の周方向に対しては僅かな力で回動自在であり，軸線方向には固着されたロータリージョイントで構成されており，前記可動用の同軸ケーブルの自由端は，前記軸体の周面に形成された導入手段から軸体内部の収納空間に引き込まれ，前記収納空間内で前記本体側の接続端子と接続されており，前記可動用の同軸ケーブルの同軸ケーブル部は，前記ケースに形成した遊挿部において挿通自在と成るように組み付けられており，前記固定用の同軸ケーブルにおける他方の端部は，前記本体側の接続端子に接続されてから，ケース外に引き出されており，前記軸体の回転操作によって，前記同軸ケーブルをケース内に収納すると共に，前記軸体の周面に前記同軸ケーブル部を巻取り及び引き出しを可能にすることによって，前記同軸ケーブルの前記ケースの外部に位置する寸法を，任意の長さに設定可能とするように構成される。
【００１１】
請求項５の発明は，請求項４に記載のアンテナ共同受信機器において，少なくとも前記可動用の同軸ケーブルにおける一方側に具備した接続端子と前記固定用の同軸ケーブルの一方側に具備した接続端子はＦ型プラグであるように構成される。
【００１２】
請求項６の発明は，請求項１乃至請求項５に何れかに記載のテレビ共同受信機器において，前記軸体には，前記カバー内に収納されると共に，前記軸体の軸線上に配設された発条を具備し，当該発条の伸縮によって前記軸体を回転させる自働巻取り式であるように構成される。
【発明の効果】
【００１３】
請求項１の発明によれば，アンテナ共同受信機器において，一端を開放して箱状に形成したケース本体と，当該ケース本体の開口部を封鎖可能に形成したケース蓋体と，を備えたケースと，前記ケース本体の開口部を前記ケース蓋体で封鎖することによって，前記ケース本体の開口部に対向する位置にあるケース本体の閉鎖面と，前記ケース本体の開口部を封鎖するケース蓋体であって前記ケース本体の閉鎖面と対向する位置にあるケース蓋体の閉鎖面とでもって回転自在に枢着される軸体と，同軸ケーブル部の一方端に接続端子を備え他方側を自由端とした所定長さの同軸ケーブルと，から成り，
前記軸体は，内部に物品の収納を可能とする収納空間が形成されており，該軸体の周面には，該周面と前記収納空間内部とを接続する導入手段が形成されており，該軸体の一方端には，この軸体の軸線と同一軸線上に配置され，前記収納空間内部とアンテナ共同受信機器の外部との信号の接続を行う事が可能な本体側の接続端子が組み付けられており，前記同軸ケーブルの自由端は，前記軸体の周面に形成された導入手段から軸体内部の収納空間に引き込まれ，前記収納空間内で前記本体側の接続端子と接続されており，前記同軸ケーブルの同軸ケーブル部は前記ケースに形成した遊挿部において挿通自在と成るように組み付けられており，前記軸体を回転操作させることによって，前記同軸ケーブル部をケース内に収納すると共に，前記軸体の周面に前記同軸ケーブル部を巻取り及び引き出しを可能にすることによって，前記同軸ケーブルの前記ケースの外部に位置する部分の寸法を，任意の長さに設定自在にできるように構成したので，
出荷時の梱包状態にあるときや収納時においては，可動用の同軸ケーブルの大部分が，軸体に巻き取られてケースの内部に収納されており，形状が小型できることから，梱包材の小型化及びこれに伴う省資源化ができる。また，可動用の同軸ケーブルを引き出すことによって，接続する対象物の間に最適な長さに同軸ケーブルの長さに調整可能となり，テレビ受信器等の背面にすっきりと配線できるテレビ共同受信機器が提供できるのである。
【００１４】
請求項２の発明によれば，前記本体側の接続端子は，前記軸体の軸線の周方向に対しては僅かな力で回動自在であり，軸線方向には固着されたロータリージョイントで構成したので，
本体側の接続端子に，電気店等に売られている市販の同軸ケーブルであって，設置場所に必要な長さの同軸ケーブルを接続してから，可動用の同軸ケーブルを必要な長さだけ引き出して接続対象物の間に接続しても，本体側に接続した同軸ケーブルが回転して捩れることが無い取扱性の容易なテレビ共同受信機器を提供できるのである。
【００１５】
請求項３の発明によれば，請求項１又は請求項２に記載のアンテナ共同受信機器において，前記可動用の同軸ケーブルにおける一方側に具備した接続端子はＦ型プラグであるように構成したので，
テレビ端子とテレビ受信機，テレビ端子とパーソナルコンピュータとを接続してテレビ信号を伝送するために適したテレビ共同受信機器を提供できる。
【００１６】
請求項４の発明によれば，アンテナ共同受信機器において，一端を開放して箱状に形成したケース本体と，当該ケース本体の開口部を封鎖可能に形成したケース蓋体と，を備えたケースと，前記ケース本体の開口部を前記ケース蓋体で封鎖することによって，前記ケース本体の開口部に対向する位置にあるケース本体の閉鎖面と，前記ケース本体の開口部を封鎖するケース蓋体であって前記ケース本体の閉鎖面と対向する位置にあるケース蓋体の閉鎖面とでもって回転自在に枢着される軸体と，同軸ケーブル部の一方端に接続端子を備え他方側を自由端とした所定長さの可動用の同軸ケーブルと，同軸ケーブル部の少なくとも一方側の端部に接続端子を備えた固定用の同軸ケーブルと，から成り，
前記軸体は，内部に物品の収納を可能とする収納空間が形成されており，該軸体の周面には，該周面と前記収納空間内部とを接続する導入手段が形成されており，該軸体の一方端には，この軸体の軸線と同一軸線上に配置され，前記収納空間とアンテナ共同受信機器の外部との信号の接続を行う事が可能な本体側の接続端子が組み付けられており，該本体側の接続端子は，前記軸体の軸線の周方向に対しては僅かな力で回動自在であり，軸線方向には固着されたロータリージョイントで構成されており，前記可動用の同軸ケーブルの自由端は，前記軸体の周面に形成された該周面と前記収納空間内部とを接続する導入手段から軸体内部の収納空間に引き込まれ，前記収納空間内で前記本体側の接続端子と接続されており，前記可動用の同軸ケーブルの同軸ケーブル部は，前記ケースに形成した遊挿部において挿通自在と成るように組み付けられており，前記固定用の同軸ケーブルにおける他方の端部は，前記本体側の接続端子に接続されてから，ケース外に引き出されており，前記軸体の回転操作によって，前記同軸ケーブルをケース内に収納すると共に，前記軸体の周面に前記同軸ケーブル部を巻取り及び引き出しを可能にすることによって，前記同軸ケーブルの前記ケースの外部に位置する寸法を，任意の長さに設定可能とするように構成したので，
任意の位置に配設された接続対象物の間に，最適な長さで配設可能なテレビ共同受信機器を提供できる。
【００１７】
請求項５の発明によれば，請求項４に記載のアンテナ共同受信機器において，少なくとも前記可動用の同軸ケーブルにおける一方側に具備した接続端子と前記固定用の同軸ケーブルの一方側に具備した接続端子はＦ型プラグであるように構成したので，
テレビ端子とテレビ受信機，テレビ端子とパーソナルコンピュータとを接続してテレビ信号を伝送するために適したテレビ共同受信機器
【００１８】
請求項６の発明によれば，請求項１乃至請求項５に何れかに記載のテレビ共同受信機器において，前記軸体には，前記カバー内に収納されると共に，前記軸体の軸線上に配設された発条を具備し，当該発条の伸縮によって前記軸体を回転させる自働巻取り式であるように構成したので，
例えば持ち運びが可能な液晶テレビを見る時など，接続対象間の距離が移動しても，ワンタッチで最適な長さに調整できることから，更に取扱性の優れた機器が提供できる。
【発明を実施するための最良の形態】
【００１９】
以下に，本発明を具体化した実施形態の例を，図面を基に詳細に説明する。
図１（ａ）は本発明に係る第１実施例の斜視図であり，（ｂ）は異なる実施例を示す。図２は図１（ａ）におけるＡ−Ａ線の一部破断断面図を示す。図３（ａ）は図２の要部拡大図を示し，（ｂ）はこの要部拡大図におけるＣ−Ｃ線断面図を示す。図４は図１（ｂ）におけるＢ−Ｂ線の一部破断断面図を示す。図５（ａ）は本発明の第２実施例を示す斜視図であり，（ｂ）は異なる実施例を示す。図６は図５（ａ）のＤ−Ｄ線の一部破断断面図を示している。
【実施例１】
【００２０】
図１は本発明の第１実施形態のテレビ共同受信機器を示しており，該テレビ共同受信機器の好適例として，高周波電気信号に適した巻取り式同軸ケーブルについて説明する。この図においてケース１０は，ケース本体１２とケース蓋体１３とから成り，ケース本体１２とケース蓋体１３を組み付けたときに，ケース１０の一側面を形成する面に対向するように形成された切欠部８と９から構成される挿通孔１０ａからは，任意の長さに切断された同軸ケーブル２１の一端に，接続端子２２（この実施例ではＦ型プラグ。）を組み付けた可動用の同軸ケーブル２０の一部が引き出されたように構成されている。
軸体３０（詳細については後述する。）は，前記ケース本体１２と前記ケース蓋体１３によって挟持されると共に，回転自在に枢着される構成となっている。
この軸体３０の一方端には接続端子３１（この実施例ではＦ型接栓座。）が組み付けられており，この接続端子３１はケース蓋体１３の略中央に形成された貫通孔１３ａから突出するように形成されている。
この接続端子３１と前記可動用の同軸ケーブル２０の自由端とは，前記軸体に形成された図示されていない収納部において接続されており，前記接続端子２２と前記接続端子３１とは同軸ケーブルを介して電気的に接続された構成となっている。
【００２１】
こうしてこの巻取り式同軸ケーブルが図１のような状態にあるときは，前記可動用の同軸ケーブル２０を構成する同軸ケーブル部２１の大部分が，前記軸体３０に巻き取られて前記ケース１０の内部に収納されており，図の破線に示すように同軸ケーブル２０を引き出したときは，前記軸体３０が回転動作することによって，所定長さに引き出し自在となるように構成されている。尚，この実施例においては，軸体３０の回転動作に合わせて，前記接続端子３１は回転動作するように構成されているが，図１（ｂ）に示すように軸体３０と接続端子３１とが相互に回転自在となるように，ロータリージョイント方式によって接続されるように構成しても良い。尚，巻取りの詳細について後述する。
尚，前記カバー１０及び軸体３０は合成樹脂材料を用いて金型にて成型した例を示したが，本発明の実施例に限定されるものではなく，例えばダイキャストを用いて成型してもよく，この場合は，前記収納部における同軸ケーブル２１と接続端子３１との接続部分がシールドされることにより外部雑音による影響の少ない製品が提供できるのである。
【００２２】
このように構成された巻取り式同軸ケーブル１の詳細について図２，３を用いて更に詳細に説明する。この図２は図１（ａ）に示すＡ−Ａ線から見た一部破断の断面図であり，図３（ａ）は要部拡大図であり，（ｂ）は図３（ａ）におけるＣ−Ｃ断面図である。
軸体３０は収納側壁３２と側壁３３が形成されている。この側壁３２と３３とは軸体３０に巻き取った同軸ケーブル２１の収納位置を制限するためのものであると共に，前記軸体３０をケース１０に枢着するための枢着部を形成するためのものである。
【００２３】
即ち収納側壁３２の中心部から外方向には枢着軸４０が形成されており，当該枢着軸４０はケース本体１２に形成した貫通孔１２ａに貫通するように組み付けられる。この枢着軸４０の根元部分は，前記枢着軸４０の周径より少し大きい周径となる枢着軸基部４０ａが形成されており，当該枢着軸基部４０ａと前記ケース本体１２に備えた貫通孔１２ａの周縁に形成した凹部１２ｂと嵌合させるのである。
また，側壁３３には前記接続端子３１を取り巻くように外方向に枢着壁３３ａが形成されており，この側壁３３に固着された前記接続端子３１を，前記ケース本体１３に形成した貫通孔１３ａに貫通するように組み付けながら，前記枢着壁３３ａを前記ケース蓋体１３の貫通孔１３ａの周縁に形成した凹部１３ｂと嵌合させるのである。
このようにして前記軸体３０は，該軸体３０の軸線を回転軸として回転自在となるように，前記ケース本体１１とケース蓋体１２とで挟持されると共に，枢着されながらケース１０に収納されることになる。
また，前記枢着軸３８の先端部に周径の大きな操作ツマミ５０を具備させれば，更に少ない力で軸体の回転操作が可能になる。
【００２４】
本発明の実施例では，軸体３０は更に軸体蓋体３４と軸体本体３５とからなり，該軸体本体３５の内部には軸線方向に形成された収納部３６が形成されている。前記軸体蓋体３４と前記軸体本体３５とは夫々の外周面が軸体３０の軸線に対して段差の生じないよう略連続的な周面を描くように対抗配置され，軸体蓋体３４に形成された挿通孔３４ａ，３４ａ・・・にネジ３７，３７・・・を挿通させ，該ネジを前記挿通孔に対向する位置であって，前記軸体本体３５に形成した螺子孔に羅合させることにより，前記軸体蓋体３４と軸体本体３５とを固着するように構成されている。
【００２５】
ここで可動用の同軸ケーブル２０の取り付け及び固定について説明する。
Ｆ型接栓座３１は中心導体３１ａが軸体３０の軸線と同一線上になるにように軸体３０の一方端側に配設されると共に，該中心導体３１ａは前記収納部３６の内方向に突出している。同時に接続端子３１の外部導体の一部を突設形成した突出片３１ｂも収納部３６に突出するように配設されている。
先ず，この中心導体３１ａと突出片３１ｂには，前記可動用の同軸ケーブル２０の自由端側に加工された中心導体と外部導体を周知の方法によって固着する。
前記軸体の蓋体３４と軸体の本体３５との当接面の任意の位置には，相対向する位置に，前記同軸ケーブル２１を収納部３６から軸体３０の外方向に導入するための蓋体側の導入溝３８と，本体側の導入溝３９が形成されており，この両方の溝に沿って同軸ケーブル２１を配設し，前記蓋体３４と本体３５を組み付けることによって，前記同軸ケーブル２１を挟持するように構成されている。更に前記導入溝３８，３９夫々の内側には，内側方向に相互に対向しない任意の位置となるように，所定数の係止爪３８ａ，３９ａが突設させてあり，同軸ケーブルを引き抜いたり押し込んだりする力に対して，前記同軸ケーブル２１を強固に挟持すると共に，接続端子３１との接続点に力が加わって破損しないように構成されている。
尚，本発明の実施例では導入孔３８，３９等で請求項に記載の導入手段を構成している。
更に，軸体を合成樹脂材料で成形した場合は，前記収納部３６の内部に収納される金属材料で形成されたシールドケースを収納し，このシールドケースースの内部において，前記同軸ケーブル２１の中心導体と前記接続端子の中心導体３１ａとを接続するように構成することによって，外来電波による妨害を低減するように構成しても良い。
【００２６】
このようにして軸体３０に取付けられた同軸ケーブル２０は，軸体３０を回転操作させることによって，軸体３０の外周面に巻取りされるのである。
次の組付け手順としては，この軸体２０の枢着軸４０を，ケース本体１２の貫通孔１２ａに貫通させると共に，前記同軸ケーブル２１をケース本体１２に形成した切欠部８に挿通させる。次に，接続端子３１の方向から，前記ケース蓋体１３を前記接続端子３１にケース蓋体１３の貫通孔１３ａが貫通するように取付けると共に，ケース蓋体１３とケース本体１２とを組み付けることによって，本発明の巻取り式同軸ケーブル１が形成される。
尚，軸体の周径は少なくとも同軸ケーブルの最小曲げ径より等しいかやや大きくなるように形成されるものであり，両側壁の軸体周面からの寸法は，所定寸法に形成された同軸ケーブルを巻きつけたときの寸法と等しいかやや大きくなるように形成される。
【００２７】
本発明の実施例においては，接続端子３１は軸体３０に固着されるように構成しているので，該接続端子３１は可動用の同軸ケーブル２０の引き出し，若しくは巻取りの動作と同時に回転してしまう。従って本発明の実施例では，可動用の同軸ケーブル２０を最適な長さに設定した後に，別体の同軸ケーブルを前記接続端子とテレビ受信機のような対象物との間に接続するようにすればよい。図１（ｂ）にはこの接続端子３１が軸体３０と共に回転してしまうといったことの無い例を示したものであり，以下に図４を基に詳細に説明する。
尚，以下の説明では上記実施例と同じ構成を示すものには同一番号を付し特に明記しない限り詳細な説明は省略する。
【００２８】
この実施例では，例えば前記接続端子３１に，一方がＦ型プラグ４１ｃで他方がＦ型接栓座４１ｂとからなるアダプター４１を備えさせたものである。
このアダプター４１の中央部には鍔部４１ａが形成されている。この鍔部４１ａは小判型若しくは六角形等の形状となるように形成されており，当該鍔部４１ａの外径形状に対応させた，ケース蓋体１３に形成された凹部１３ｂと係合させることのよって，アダプター４１はケース蓋体に対して，周方向の回転と軸線方向の移動を制限されることになる。
一方，アダプター４１のＦ型プラグ４１ｃ部分は，詳細は図示されていないが，その内周面にバネ材からなる摺動部材が備えさせてある。これによってアダプター４１のＦ型プラグ部４１ｃは，軸体３０に固着された接続端子３１に周方向に開店自在となるように摺動固着されることになると共に，前記摺動部材によって回転動作時においても高周波特性が維持されるのである。
このようにして，軸体３０が回転しても，アダプター４１は回転することが無いので，別に用意された同軸ケーブルを前記接続端子３１とテレビ受信機のような接続対象物との間に接続してから，可動用の同軸ケーブル２０を最適な長さに設定すればよく，更に取扱性のよいものが提供できるのである。
【００２９】
尚，この実施例においては，軸体３０に形成された収納部３６に対して軸体の蓋体３４の無い例を示してある。この場合は，軸体本体３５に形成した収容部３６の開口部周縁のスペースに，例えば周知のケーブルクリップ等を用いて同軸ケーブルを固定すればよく，部品材料の削減，製品単価の低減，製品の質量の低減等が可能となる。また外部からの電波によって接続部からの飛び込みが心配される場合は，前記収納部３６収納できるシールドケースを用いれば良い事は言うまでもない。
【実施例２】
【００３０】
次に本発明の第２の実施形態として図５，６を参照して説明する。尚，以下の説明においても，上記第１の実施形態の巻取り式同軸ケーブルと同様の構成要素については同一符号を付与し，詳細な説明は省略する。                            
【００３１】
この第２の実施形態は，前記可動用の同軸ケーブル２０の他に，固定用の同軸ケーブル２５を具備させたものである。
図５（ａ）に示す実施例では，同軸ケーブル２５は所定長さに形成されたものであり，この同軸ケーブル部２６の両端部には接続端子２７，２８が取付けられている。本願の実施例では特に接続端子２７には，その中央部に形成された鍔部２７ａを備えさせ，当該鍔部２７ａをケース蓋体１３に形成された凹部１３ｂに嵌合させるように組み付けられている。また，Ｆ型プラブ部２７ｃの内周面には，詳細は図示されていないがバネ材からなる摺動部材が備えさせてある。これによってＦ型プラグ部２７ｃはケース蓋体１３によって周方向の回転と軸線方向への移動を制限されることとなり，軸体３０に固着された接続端子３１は周方向に回転自在となるように摺動固着されることになる。また，前記摺動部材によって回転動作時においても高周波特性が維持されるのである。
【００３２】
このように本発明の第２の実施例によれば，軸体３０が回転しても，固定用の同軸ケーブル２５は回転することが無いので，この固定用の同軸ケーブル２５の接続端子２８と，可動用の同軸ケーブル２０の接続端子２２を，例えばテレビ端子とテレビ受信機やパーソナルコンピュータのような接続対象物との間に接続するときに，可動用の同軸ケーブル２０を最適な長さに設定すればよく，同軸ケーブルを別途購入する必要も無いので，更に取扱性のよいものが提供できるのである。
【００３３】
尚，以下に例示するように，本発明の趣旨を逸脱しない範囲で各部の構成を適宜に変更して実施することも可能である。
例えば，ケースは，このケースに形成した挿通孔等を除いて軸体を完全に覆うように形成する必要が無く，一部を開放するように形成してもよい。この場合は，同軸ケーブルを軸体に巻取るさいに，同軸ケーブルを軸体に均一に巻取る補正が簡単に行える。
また，例えばケース本体とケース蓋体との係止方法をネジ式のようにすれば，係止を緩めた時に同軸ケーブルの引出しや巻取りが可能となり，係止を締付けた時は，同軸ケーブルの引出しや巻取りが制限されるように，上記実施例にロック機能を備えた構成にすればさらに取扱性に対して優れたものとなる。
また，図１（ｂ）及び図５（ａ）に示すロータリージョイント部分は，軸体に取付けられたＦ型接栓座にＦ型プラグを摺動固着する方法を示したが，この接合部分はＦ型プラグとＦ型接栓座を用いなくても，軸体の回転動作に対して固定用の同軸ケーブルが捩れてしまわない構造であり，接続部の特性を維持できるものであれば，図５（ｂ）に示すように特にＦ型にする必要はない。
更に，本発明においては可動用の同軸ケーブルの収納操作は，操作ツマミ５０を回転操作して行う例を示したが，例えば収納側壁３２にバネ材を具備させることによって，該バネ材によって自動的に巻取り可能なように構成してもよい。自働巻取り式にすれば，操作ツマミは必要でないので，該操作ツマミを取付けるための枢着軸を軸体に形成する替わりに，ケース本体の内側に枢着軸を一体に形成して，該枢着軸を軸体の端部に設けた枢着穴に挿入するように構成する用にしてもよい。この場合はケースの外壁に突出する部分が少なくなるので，外形が小さくでき，すっきりとしたデザインとなる等の効果が得られるのである。
更に加えて，本発明の構造を分配器や分岐器等に取り入れてもよい事は言うまでもなく，また，収納部に同軸ケーブルの損失を補正する増幅手段を収納するようにしてもよい等，本発明は上記実施の形態に限定されるものでないことは言うまでもない。
【図面の簡単な説明】
【００３４】
【図１】（ａ）は本発明に係る第１実施例の斜視図であり，（ｂ）は異なる実施例を示す。
【図２】図１（ａ）におけるＡ−Ａ線の一部破断断面図を示す。
【図３】（ａ）は図２の要部拡大図を示し，（ｂ）はこの要部拡大図におけるＣ−Ｃ線断面図を示す。
【図４】図１（ｂ）におけるＢ−Ｂ線の一部破断断面図を示す。
【図５】（ａ）は本発明の第２実施例を示す斜視図であり，（ｂ）は異なる実施例を示す。
【図６】図５（ａ）のＤ−Ｄ線の一部破断断面図を示している。
【符号の説明】
【００３５】
１…テレビ共同受信機器（巻取り式同軸ケーブル），８…切欠部，９…切欠部，１０…ケース，１０ａ…挿通孔，１２…ケース本体，１２ａ…貫通孔，１２ｂ…凹部，１３…ケース蓋体，１３ａ…貫通孔，１３ｂ…凹部，２０…可動用の同軸ケーブル，２１…同軸ケーブル部，２２…接続端子，２５…固定用の同軸ケーブル，２６…同軸ケーブル部，２７…接続端子，２７ａ…鍔部，２７ｃ…Ｆ型プラブ部，２８…接続端子，３０…軸体，３１…接続端子，３１ａ…中心導体，３１ｂ…突出片，３２…収納側壁，３３…側壁，３３ａ…枢着壁，３４…軸体蓋体，３４ａ…挿通孔，３５…軸体本体，３６…収納部，３７…ネジ，３８…導入溝，３８ａ…係止爪，３９…導入溝，３９ａ…係止爪，４０…枢着軸，４０ａ…枢着軸基部，４１…アダプター，４１ａ…鍔部，４１ｂ…Ｆ型接栓座部，４１ｃ…Ｆ型プラグ部，５０…操作ツマミ
【図１】
2006032024.tif 000003
【図２】
2006032024.tif 000004
【図３】
2006032024.tif 000005
【図４】
2006032024.tif 000006
【図５】
2006032024.tif 000007
【図６】
2006032024.tif 000008